(57)【要約】【課題】市販されているカラーコーンの大部分に装着できる内照装置を得る。【解決手段】載頭円堆状の筒部２ａとその下端部から外方に延在するフランジ部２ｂとを有する環状のケース２ａと、筒部２ａの上端部に取付けられた発光ダイオード３と、フランジ部２ｂに形成された電池ケース２ｃと、点灯駆動回路基板取付け部２ｄと、カラーコーン１の台座１ｅに取付ける取付け座２ｄとを備えた内照装置２０において、高さの異なる複数組の取付け座２ｄｈ、２ｄｌを設けた。【選択図】        図１
2004265846.tif 000002
【特許請求の範囲】
【請求項１】
基台と、この基台につづく段部と、この段部内に形成された内照装置取付用の台座と、この段部につづく円錐形のコーン部とが光透過性を有する合成樹脂で一体に成形されたカラーコーンの上記段部内に取付けられて、上記円堆状のコーン部を内部から照明する内照装置であって、
上記コーン部内に上端部が挿入される載頭円堆状の筒部と、この筒部の下端部から外方に延在するフランジ部とを有する環状のケースと、上記筒部の上端部に取付けられた発光ダイオードと、上記フランジ部に形成された電池ケース、点灯駆動回路基板取付け部および上記カラーコーンの台座に取付けられる高さの異なる複数組の取付け座とを備えたカラーコーンの内照装置。
【請求項２】
高さの異なる２つの取付け座が、１０〜２０度の交叉角度でもって隣接して形成されている請求項１記載のカラーコーンの内照装置。
【発明の詳細な説明】
【０００１】
【発明の属する技術分野】
本発明は、道路標識などに用いられるカラーコーンのコーン部を、内部から照明する内照装置に関する。
【０００２】
【従来の技術】
従来、カラーコーンに取付けられて内部からコーン部を照明する内照装置は、合成樹脂で成形された環状のケースの筒部に複数の発光ダイオードを所定の間隔で取付け、フランジ部に収納した乾電池から制御回路基板を介して給電するように構成されている（例えば、特許文献１参照）。
【０００３】
【特許文献１】
実用新案登録第２０４２０２３号
【０００４】
図９は、市販されているカラーコーンの内照装置取付け部分の縦断面図である。内照装置取付け部分の仕様はメーカーによって異なり、図１０の図表に示すように、コーン部１ｃの下端部の内径Ｄ１に１３ｍｍ、段部１ｂの上部の内径Ｄ２に１４ｍｍ、段部１ｂの下部の内径Ｄ３に１６ｍｍ、台座１ｅの高さＴ１に４ｍｍ、取付ボルト１ｆの長さＴ２に４ｍｍ、段部１ｂの高さＴ３に１０ｍｍ、取付ボルト１ｆの径Φに２ｍｍ、取付ボルト１ｆの間隔Ｓに９ｍｍの差がある。さらに補強リブ１ｄの位置および寸法にも相違がある。しかし、従来の内照装置は、カラーコーンに取付ける取付け座を１組しか備えていないので、取付けることができるカラーコーンが限られる。多くのカラーコーンに取付けられるようにするには、取付け座の高さ、位置等の異なるものを複数用意する必要があるが、コスト高となる。
【０００５】
【発明が解決しようとする課題】
本発明は、上記課題を解消し、市販されている大多数のカラーコーンに装着できる内照装置を得ることを目的とする。
【０００６】
【課題を解決するための手段】
上記目的を達成するために、本発明に係る内照装置は、高さの異なる複数組の取付け座を備えたものである。
上記構成による内照装置は、取付け対象のカラーコーンに適合する取付け座を選択することで取付け可能となる。
【０００７】
また、好ましい実施の形態では、高さの異なる２つの取付け座が、１０〜２０度の交叉角度でもって隣接して形成されているものである。
上記構成によれば、環状のケースの成形金型の価格を低減でき、製造コストを低減できる。
【０００８】
【発明の実施の形態】
実施の形態１．
以下、本発明に係る内照装置の一実施の形態を図面に基づいて説明する。
図１は内照装置の側面図、図２はその平面図である。図１に示す内照装置２０は、環状のケース２と、発光ダイオード３と、点灯駆動回路基板５と、４個の乾電池４とを備えている。環状のケース２は合成樹脂で成形されており、載頭円錐状の筒部２ａと、筒部２ａの下端部から外方に延在するフランジ部２ｂとを有している。筒部２ａの上端部には周方向に所定の間隔で配置されているフレキシブル配線基板６の保持爪２ｇが形成されており、フランジ部２ｂには、４つの電池ケース２ｃと、高さの異なる２組のカラーコーン１への取付け座２ｄｈ、２ｄｌと、点灯駆動回路基板５の取付け部２ｆとが成形されている。上記フレキシブル配線基板６は、両面基板であって、複数の発光ダイオード３が接続されており、筒部２ａとリブ２ｄの間に挿入されて保持される。上記取付け座２ｄｈ、２ｄｌは、周方向に１０〜２０度の交叉角度でもって並べて一体に成形されており、それぞれ透孔２ｅｈ、２ｅｌが形成されている。図３は図２のＩＩＩ−ＩＩＩ線断面図、図４は図２のＩＶ−ＩＶ線断面図、図５は図２のＶ−Ｖ線断面図で、取付け座２ｄｈ、２ｄｌの部分を示している。
【０００９】
取付け部２ｆに図示していないねじで取付けられた点灯駆動回路基板５には電源スイッチが取付けられており、下面に突出した釦をプッシュすることで、図示していない配線を介して電池４から各発光ダイオード３への給電のＯＮ−ＯＦＦ操作が行われる。
【００１０】
また、高さの異なる２組の取付け座２ｄｈ、２ｄｌを隣接して一体に形成したのは環状のケース２の成形金型の価格低減を図るためであって、必ずしも隣接させる必要はなく、図６に示すように、それぞれ独立した構成としてもよい。
【００１１】
図７は、本実施の形態の内照装置２０を、台座１ｅの高さ（Ｔ１）の低いＢ、Ｄ、Ｅ社製のカラーコーンに装着した状態を示す縦断面図、図８は、台座１ｅの高さ（Ｔ１）の高いＣ社製のカラーコーンに装着した状態を示す縦断面図である。前者の場合は、低い取付け座２ｄｌを使用し、後者の場合は、高い取付け座２ｄｈを使用する。これにより、台座１ｅの高さ（Ｔ１）の異なるカラーコーン１の段部１ｂ内に内照装置２０を装着することができる。
【００１２】
【発明の効果】
以上説明したように、本発明によれば、環状のケースのフランジ部に高さの異なる複数組の取付け座を設けたので、台座の高さが異なるカラーコーンに内照装置を装着することができる。
【図面の簡単な説明】
【図１】本発明の一実施の形態の内照装置の側面図である。
【図２】同実施の形態の平面図である。
【図３】図２ＩＩＩ−ＩＩＩ線断面図である。
【図４】図２ＩＶ−ＩＶ線断面図である。
【図５】図２Ｖ−Ｖ線断面図である。
【図６】本実施の形態の他の構成を示す平面図である。
【図７】本実施の形態の内照装置を台座の低いカラーコーンに装着した状態を示す縦断面図である。
【図８】本実施の形態の内照装置を台座の高いカラーコーンに装着した状態を示す縦断面図である。
【図９】カラーコーンの内照装置取付け部分の縦断面図である。
【図１０】市販されているカラーコーンの内照装置取付け部の寸法を示す図表である。
【符号の説明】
２…環状のケース、２ａ…筒部、２ｂ…フランジ部、２ｃ…電池ケース、２ｄｈ、２ｄｌ…取付け座、２ｅｈ、２ｅｌ…透孔、２ｆ…点灯駆動回路基板の取付け部、２ｇ…保持爪、３…発光ダイオード、４…乾電池、５…点灯駆動回路基板、６…フレキシブル配線基板、２０…内照装置。
【図１】
2004265846.tif 000003
【図２】
2004265846.tif 000004
【図３】
2004265846.tif 000005
【図４】
2004265846.tif 000006
【図５】
2004265846.tif 000007
【図６】
2004265846.tif 000008
【図７】
2004265846.tif 000009
【図８】
2004265846.tif 000010
【図９】
2004265846.tif 000011
【図１０】
2004265846.tif 000012